(57)【要約】【課題】多数のメモ用紙等の紙片の整理分類等が容易であり、しかも紙片の内容が見えやすいようにした吸着式紙片ホルダーを提供することである。【解決手段】一つのコーナ部を挟んだ２辺に閉鎖辺１６ａ、１６ｂが形成され、その１辺の閉鎖辺１６ａの前記コーナ部と反対側の端部のコーナ部にカードリング１２が挿通され、前記カードリング１２によって束ねられた下部ファイル１８ａ、中間ファイル１８ｂ及び上部ファイル１８ｃからなり、前記中間ファイル１８ｂは前記下部ファイル１８ａと平行の面内で回転させることにより当該下部ファイル１８ａに対し９０°以下の傾斜角αで、上部ファイル１８ｃは表裏反転させることにより１８０°以上の傾斜角βで、それぞれ留められるようにした。【選択図】図１
2011093289.tif 000002
【特許請求の範囲】
【請求項１】
複数枚のクリヤファイル（１１）と、前記複数枚のクリヤファイル（１１）に挿通され各クリヤファイル（１１）を束ねるカードリング（１２）と、前記各クリヤファイル（１１）の裏面に取り付けられたたゴム磁石（１３ａ）〜（１４ｂ）とからなり、前記ゴム磁石（１３ａ）〜（１４ｂ）によって家具等の対象物に吸着保持させる吸着式紙片ホルダーにおいて、
前記各クリヤファイル（１１）は一つのコーナ部を挟んだ２辺に閉鎖辺（１６ａ）、（１６ｂ）が形成され、
その１辺の閉鎖辺（１６ａ）の前記コーナ部と反対側の端部におけるコーナ部に前記カードリング（１２）の挿通穴（１９）が形成され、
前記カードリング（１２）によって束ねられたクリヤファイル（１１）のうち最も下に配置された１枚のクリヤファイル（１１）が下部ファイル（１８ａ）、その上に重ねられた１枚以上のクリヤファイル（１１）が中間ファイル（１８ｂ）を構成し、
前記中間ファイル（１８ｂ）は前記下部ファイル（１８ａ）と平行の面内で回転させることにより当該下部ファイル（１８ａ）に対し９０°以下の傾斜角αで対象物に留められることを特徴とする吸着式紙片ホルダー。
【請求項２】
前記下部ファイル（１８ａ）のゴム磁石（１３ａ）、（１３ｂ）は全てのクリヤファイル（１１）とその内部に収納された紙片（２１）の重量を吸着保持するに足るよう相対的に大きく形成され、
前記中間ファイル（１８ｂ）のゴム磁石（１４ａ）、（１４ｂ）は当該単独の中間ファイル（１８ｂ）とその内部の紙片（２１）の重量を吸着保持し得るに足る大きさに形成されたことを特徴とする請求項１に記載の吸着式紙片ホルダー。
【請求項３】
前記中間ファイル（１８ｂ）の上に１枚以上のクリヤファイル（１１）からなる上部ファイル（１８ｃ）が重ねられ、前記上部ファイル（１８ｃ）は一つのコーナ部を挟んだ２辺に閉鎖辺（１６ａ）、（１６ｂ）が形成され、前記コーナ部に前記カードリング（１２）が挿通される挿通穴（１９）が形成され、前記カードリング（１２）を中心に前記下部ファイル（１８ａ）に対し１８０°以上の傾斜角βをとって前記対象物にゴム磁石（１５ａ）、（１５ｂ）によって留められることを特徴とする請求項１又は２に記載の吸着式紙片ホルダー。
【請求項４】
前記上部ファイ（１８ｃ）は、カードリング（１２）の円弧に沿って表裏反転され前記の傾斜角βをとって対象物に留められることを特徴とする請求項３に記載の吸着式紙片ホルダー。
【発明の詳細な説明】
【技術分野】
【０００１】  この発明は、冷蔵庫、ロッカー、掲示板等の家具にマグネットによって留めるようにした吸着式紙片ホルダーに関するものである。
【背景技術】
【０００２】  冷蔵庫、ロッカー、掲示板等の鉄系金属板を含む家具にマグネットによってメモ用紙、請求書などの紙片を留めることが一般に行われている。この方法は、接着剤や粘着テープを用いることなく、紙片を容易に着脱できる便利さがあるが、問題がないわけではない。【０００３】  たとえば、１個ないし２個のマグネットで止められた紙片は、それを留めた家具の前を人が通過する際に、衣類の一部に引っ掛って外れることがある。この問題を解消するために、冷蔵庫の場合は、紙片を留める扉の前面に透視カバーを開閉自在に取り付け、その透視カバーによって紙片を押さえるようにした提案が行われている（特許文献１）。【０００４】  また、紙片に限らず、各種書類や小物類も収納できる薄型のバッグをマグネットによって留めるようにした提案もある（特許文献２）。
【先行技術文献】
【特許文献】
【０００５】
【特許文献１】特開２００２−２２８３４２号公報
【特許文献２】特開２００１−２８７４８８号公報
【発明の概要】
【発明が解決しようとする課題】
【０００６】  マグネットによって紙片を家具に留める場合は、読み易くするために、メモ用紙等の紙片は重ねることなく、１枚ずつ見えるように分散して留める必要がある。このため、家族の人数等にもよるが、捨てるに捨てきれない紙片の数が次第に増えるうえに、紙片を留める面積にも限りがあるので、家具の面が次第に乱雑な状態になる問題がある。【０００７】  前記特許文献２のように、紙片を薄型バッグに収納すると、整理はつくが紙片がバッグの中で相互に重なるため、読めなくなってメモや伝言の意味をなさなくなる。【０００８】  そこで、この発明は、多数の紙片の整理分類等が容易であり、しかも紙片の内容が見えやすいようにした吸着式紙片ホルダーを提供することを課題とする。
【課題を解決するための手段】
【０００９】  前記の課題を解決するために、この発明は、複数枚のクリヤファイル１１と、前記複数枚のクリヤファイル１１に挿通され各クリヤファイル１１を束ねるカードリング１２と、前記各クリヤファイル１１の裏面に取り付けたゴム磁石１３ａ〜１４ｂとからなり、前記ゴム磁石１３ａ〜１４ｂによって家具等の対象物に吸着保持させる吸着式紙片ホルダーにおいて、前記各クリヤファイル１１は一つのコーナ部を挟んだ２辺に閉鎖辺１６ａ、１６ｂが形成され、その１辺の閉鎖辺１６ａの前記コーナ部と反対側の端部におけるコーナ部に前記カードリング１２の挿通穴１９が形成され、前記カードリング１２によって束ねられたクリヤファイル１１のうち最も下に配置された１枚のクリヤファイル１１が下部ファイル１８ａ、その上に重ねられた１枚以上のクリヤファイル１１が中間ファイル１８ｂを構成し、前記中間ファイル１８ｂは前記下部ファイル１８ａと平行の面内で回転し当該下部ファイル１８ａに対し９０°以下の傾斜角αで対象物に留められる構成としたものである。【００１０】  前記構成の吸着式紙片ホルダーは、下部ファイル１８ａ、中間ファイル１８ｂの内部に紙片２１を収納した状態で下部ファイル１８ａを対象物に吸着固定する。中間ファイル１８ｂはカードリング１２を中心に回転により展開させ、下部ファイル１８ａに対し所定の傾斜角αをもつように留める。中間ファイル１８ｂが複数枚ある場合は、それぞれ傾斜角を変え、所要の重なり部をもった扇形に展開させる。このように展開する前又は展開した後にその内部に紙片２１を収納する。【００１１】  なお、前記中間ファイル１８ｂの上に１枚以上のクリヤファイル１１からなる上部ファイル１８ｃが重ねられ、前記上部ファイル１８ｃは一つのコーナ部を挟んだ２辺に閉鎖辺１６ａ、１６ｂが形成され、前記コーナ部に前記カードリング１２が挿通される挿通穴１９が形成され、前記カードリング１２を中心に前記下部ファイル１８ａに対し１８０°以上の傾斜角βで前記対象物に留められるようにした構成をとることができる。【００１２】  この上部ファイル１８ｃを展開する方法は、中間ファイル１８ｂ面と平行の面内でガードリング１２を中心として回転させて留める方法と、ガードリング１２の円弧に従って表裏反転させて展開する方法がある。
【発明の効果】
【００１３】  この発明に係る吸着式紙片ホルダーは、メモ用紙等の紙片をクリヤファイルに収納し、そのクリヤファイルを家具等の取り付け対象にゴム磁石によって吸着保持するようにしたものであり、そのクリヤファイルを複数枚扇形に展開できるようにしているので、多数の紙片を整理した状態で家具の一部に留めることができる。また、クリヤファイル内の紙片の重なりが少ないので、その記載内容をクリヤファイルの外部から見ることできる。
【図面の簡単な説明】
【００１４】
【図１】は、実施形態の使用状態の正面図である。
【図２】は、図１のＸ−Ｘ線の断面図である。
【図３】は、実施形態の使用前の状態の斜視図である。
【図４】は、実施形態の他の使用形態における正面図である。
【発明を実施するための形態】
【００１５】  以下この発明の実施の形態を添付図面に基づいて説明する。
【００１６】  図１は実施形態の吸着式紙片ホルダーを冷蔵庫等の家具の一面に吸着させた使用状態を示している。この吸着式紙片ホルダーは、複数枚の長方形のクリヤファイル１１と、これらの各クリヤファイル１１の一つのコーナ部に挿通され各クリヤファイル１１を束ねるカードリング１２と、前記各クリヤファイル１１の裏面に取り付けられたゴム磁石１３ａ、１３ｂ、１４ａ、１４ｂ、１５ａ、１５ｂとにより構成される。
【００１７】  前記のクリヤファイル１１は、透明（半透明を含む。）なプラスチックシートを二つ折りに重ね、その折り目と、これと直交する一つの辺を熱溶着等により閉鎖することにより、一つのコーナ部を挟んで直交する長短２辺の閉鎖辺１６ａ、１６ｂを設けたものである。図示の場合、一方の閉鎖辺１６ａが長辺、他方の閉鎖辺１６ｂが短辺となっている。
【００１８】  残りの２辺は開放辺１６ｃ、１６ｄであり、前者が長辺、後者が短辺である。長辺側の開放辺１６ｃにおいて、シート端辺に半円形の指掛け凹部１７が形成される。
【００１９】  前記１束のクリヤファイル１１は、３種類に分けられる。即ち、最も下に配置される下部ファイル１８ａ、その上に重ねられる中間ファイル１８ｂ、さらにその上に重ねられる上部ファイル１８ｃである。下部ファイル１８ａは１枚であるが、中間ファイル１８ｂ及び上部ファイル１８ｃは１枚以上のクリヤファイル１１によって構成される。図１において、二点鎖線で示した中間ファイル１８ｂ及び上部ファイル１８ｃは、２枚目以上のものの表示を省略したことを示している。通常、中間ファイル１８ｂは２〜５枚、上部ファイル１８は、２〜４枚のクリヤファイル１１からなる。
【００２０】  前記の下部ファイル１８ａと中間ファイル１８ｂにおいては、閉鎖辺１６ａと開放辺１６ｄが作るコーナ部にカードリング１２の挿通穴１９が形成される。それぞれの挿通穴１９にカードリング１２を挿通することにより、下部ファイル１８ａと中間ファイル１８ｂは、それぞれの閉鎖辺１６ａ、１６ｂ及び開放辺１６ｃ、１６ｄの位置が一致する状態に重ねられる（図３参照）。
【００２１】  一方、上端ファイル１８ｃの挿通穴１９は、前記の場合と反対側、即ち、２辺の閉鎖辺１６ａ、１６ｂによって挟まれたコーナ部に形成され、その挿通穴１９に前記のカードリング１２を挿通して中間ファイル１８ｂ上に重ねられる。
【００２２】  不使用状態の吸着式紙片ホルダー１１を示した図３から分かるように、各ファイル１８ａ〜１８ｃの閉鎖辺１６ａを揃えて重ねた状態において、下部ファイル１８ａと中間ファイル１８ｂにおいては閉鎖辺１６ｂがカードリング１２から遠い位置（使用時の下端側）にあるが、上部ファイル１８ｃの閉鎖辺１６ｂは反対側、即ちカードリング１２に近い位置（使用時の上端側）にある。
【００２３】  前記の指掛け凹部１７は、下部ファイル１８ａと中間ファイル１８ｂにおいては開放辺１６ｃの上側のシートの端縁において開放辺１６ｄに片寄った位置に形成されるが、上部ファイル１８ｃにおいては、開放辺１６ｃの下側のシートの端縁において開放辺１６ｄに片寄った位置に形成される。
【００２４】  下部ファイル１８ａの裏面において閉鎖辺１６ａと開放辺１６ｄに沿って接着されたゴム磁石１３ａ、１３ｂは帯状に形成される（図１参照）。中間ファイル１８ｂにおいては、その裏面において開放辺１６ｃの両端部のコーナ部に三角形のゴム磁石１４ａ、１４ｂが接着される。また、上部ファイル１８ｃの場合は、開放辺１６ｃの両端部表面に三角形のゴム磁石１５ａ、１５ｂが接着される。
【００２５】  下部ファイル１８ａにおいて、中間ファイル１８ｂ及び上部ファイル１８ｃの三角形のゴム磁石１４ａ、１４ｂ、１５ａ、１５ｂに比べ面積の大きい帯状のゴム磁石１３ａ、１３ｂを使用しているのは、これらのゴム磁石１３ａ、１３ｂの吸着力によって全ファイル１８ａ〜１８ｃ及びその内部に入れられた紙片２１（図２参照）の全重量を支持できるようにするためである。このため、下部ファイル１８ａ以外の他の全てのファイル１８ｂ、１８ｃの吸着が外れることがあっても、下部ファイル１８ａは外れることなく、他の全てのファイル１８ｂ、１８ｃを支え、全体が落下することを防止する。
【００２６】  中間ファイル１８ｂ及び上部ファイル１８ｃのゴム磁石１３ａ、１４ａ等は、当該ファイル１８ｂ、１８ｃ自体を支持する吸着力があればよいので、相対的に小面積の三角形に形成される。
【００２７】  実施形態の吸着式紙片ホルダー１１は以上のようなものであり、これを使用するに際しては、図１に示したように、下部ファイル１８ａをゴム磁石１３ａ、１３ｂの吸着力によって冷蔵庫の扉の前面に留める。下部ファイル１８ａは、図示のように、閉鎖辺１６ａが左側辺、閉鎖辺１６ｂが下端辺となる姿勢で留められる。指掛け凹部１７に指先を掛けて開放辺１６ｃ、１６ｄを開放し、向かって右から、即ち、長辺側の開放辺１６ｃ側から紙片２１を差し込む。紙片２１の数は複数枚であってもよいが、重なり具合に留意して記載内容が判別できる程度の数を限度とする。
【００２８】  この場合、中間ファイル１８ｂや上部ファイル１８ｃが邪魔になって下部ファイル１８ａに収納した紙片２１が見えにくいことがあるので、以下に説明する要領で、中間ファイル１８ｂは適当な傾斜角αを持つように展開させ、上部ファイル１８ｃはさらに大きい傾斜角βを持つように表裏反転状態に展開して留めておくとよい。
【００２９】  中間ファイル１８ｂを展開させる場合は、カードリング１２を中心に下部ファイル１８ａと平行な面内で扇状に一定の傾斜角αだけ回転させ（図３の矢印Ａ参照）、その傾斜状態でゴム磁石１４ａ、１４ｂの吸着力で扉に留める。この場合も紙片２１を前記と同様の要領で開放辺１６ｃ側からその内部に収納する。中間ファイル１８ｂが２枚以上ある場合は、２枚目以降のものをさらに傾斜角αを大きくして同様に展開して留める。傾斜角αが９０°以上になると開放辺１６ｄから紙片２１が左方へ滑り落ちる可能性があるので、傾斜角αは９０°以下に制限される。
【００３０】  上部ファイル１８ｃを展開する場合は、これをカードリング１２の円弧に沿って表裏反転させる（図１の矢印Ｂ参照）。表裏反転させることにより、他のファイル１８ａ、１８ｂと同様に長辺側の閉鎖辺１６ａが左側辺、長辺側の開放辺１６ｃが右側辺となり、開放辺１６ｃに形成された指掛け凹部１７が前面に出る。
【００３１】  このため、右側に位置する長辺側の開放辺１６ｃから紙片２１を右から左方向に差し込むという各ファイル１８ａ、１８ｂ、１８ｃに共通の使い勝手が実現できる。また、反転後の下部ファイル１８ａに対する傾斜角βを１８０°以上となるように傾斜させることにより、開放辺１６ｃから紙片２１が左方に滑り落ちることを防止できる。
【００３２】  なお、上部ファイル１８ｃを反転させることなく、前記の矢印Ａ方向に大きく回転させ、図４に示したように、下部ファイル１８ａに対する傾斜角βを１８０°以上にとって留める展開方法もとり得る。この状態では、長辺側の開放辺１６ｃが上端辺となり、短辺側の開放辺１６ｄが右側辺となる。指掛け凹部１７が裏面側となるので、短辺側の開放辺１６ｄの表面側にもう一つの指掛け凹部１７ａを設ける。
【００３３】  この場合は、長辺側の開放辺１６ｃから紙片２１を差し込もうとすると、上方から下向きに差し込むことになる。前記のように、下部ファイル１８ａ及び中間ファイル１８ｂにおいては、右側辺となる長辺側の開放辺１６ｃから紙片２１を右から左向きに差し込むようにしているので、これらの場合と使い勝手が違うことになる。
【００３４】  同様の使い勝手とするために、上部ファイル１８ｃにおいては短辺側の開放辺１６ｄから差し込むと右から左向きに差し込むことができる。しかし、この場合は開放幅の短い開放辺１６ｄから差し込むことになるので、開放幅の長い開放辺１６ｃから差し込む下部ファイル１８ａ及び中間ファイル１８ｂの場合と比べ使い勝手が違い、また差し込みにくくなる。
【００３５】  ただし、前記の使い勝手の違いを気にしない場合は、図４に示したように、上部ファイル１８ｃを反転させず、中間ファイル１８ｂと同様に矢印Ａ方向に回転させる展開方法を採ることができる。
【００３６】  いずれの場合も、上部ファイル１８ｃは、傾斜角βを１８０°以上にとって大きく展開させることにより、中間ファイル１８ｂの上方に存在する空間を有効利用することができる。
【００３７】  なお、必要とする紙片２１の数が比較的少ない場合に対応するため、上部ファイル１８ｃを省略し、１枚の下部ファイル１８ａと１枚以上の中間ファイル１８ｂの組み合わせで一束の吸着式紙片ホルダーを構成する場合もある。この構成を基本とし、紙片２１が増えるに伴い上部ファイル１８ｃを追加するようにしてもよい。
【符号の説明】
【００３８】１１  クリヤファイル
１２  カードリング
１３ａ、１３ｂ  ゴム磁石
１４ａ、１４ｂ  ゴム磁石
１５ａ、１５ｂ  ゴム磁石
１６ａ、１６ｂ  閉鎖辺
１６ｃ、１６ｄ  開放辺
１７、１７ａ  指掛け凹部
１８ａ  下部ファイル
１８ｂ  中間ファイル
１８ｃ  上部ファイル
１９  挿通穴
２１  紙片
【図１】
2011093289.tif 000003
【図２】
2011093289.tif 000004
【図３】
2011093289.tif 000005
【図４】
2011093289.tif 000006